(57)【要約】      （修正有）【課題】簡素な構造でありながらも、斬新な装飾表現を実現することができる眼鏡テンプルの装飾構造の提供。【解決手段】眼鏡フロントの左右両側に折り畳み自在に連結されるテンプル１における装飾構造であって、このテンプル１の一部には、上下の枠縁部11ａ・11ｂに挟まれて成る開口部11を備える一方、これら枠縁部11ａ・11ｂの上下に亙り設けられた架橋部材に、宝飾片２を止着可能な止着部材を配設し、宝飾片２の周縁外郭が前記開口部11内側に収容され、かつ、テンプル外側面に対して架橋部材を隠した状態で、当該宝飾片２を前記止着部材に支持固定する。【選択図】図２
2008139425.tif 000002
【特許請求の範囲】
【請求項１】
眼鏡フロントＦの左右両側に折り畳み自在に連結されるテンプル１における装飾構造であって、
このテンプル１の少なくとも一部には、上下の枠縁部11ａ・11ｂに挟まれて成る開口部11を備える一方、これら枠縁部11ａ・11ｂの上下に亙り設けられた架橋部材12には、宝飾片２を止着可能な止着部材３が配設されており、
宝飾片２の周縁外郭が前記開口部11内側に収容され、かつ、テンプル外側面に対して架橋部材12を隠した状態で、当該宝飾片２が前記止着部材３に支持固定されていることを特徴とする眼鏡テンプルの装飾構造。
【請求項２】
テンプル１の開口部11は、エンドピース側およびモダン側からそれぞれ延出された各線材の先端部が上下に対向して枠縁部11ａ・11ｂを構成し、かつ、これら両部材を架橋部材12で連結して構成されていることを特徴とする請求項１記載の眼鏡テンプルの装飾構造。
【請求項３】
テンプル１の開口部11は、二股分岐せる線材により構成される枠縁部11ａ・11ｂに挟まれて構成されていることを特徴とする請求項１記載の眼鏡テンプルの装飾構造。
【請求項４】
止着部材３が、複数の掛止爪31・31…を有する爪付き台座であって、この掛止爪31により宝飾片２が掴持されていることを特徴とする請求項１〜３の何れか一つに記載の眼鏡テンプルの装飾構造。
【請求項５】
テンプル１の架橋部材12に装飾が施されていることを特徴とする請求項１〜４の何れか一つに記載の眼鏡テンプルの装飾構造。
【発明の詳細な説明】
【技術分野】
【０００１】
本発明は、眼鏡部品の装飾技術の改良、更に詳しくは、簡素な構造でありながらも、斬新な装飾表現を実現することができる眼鏡テンプルの装飾構造に関するものである。
【背景技術】
【０００２】
周知のとおり、眼鏡の主要な機能は視力矯正機能であるが、この機能に加えて軽量性、耐久性、装飾性などを備えた眼鏡が求められており、特に近年、これらの機能のうち装飾機能が重要視される傾向にある。
【０００３】
ところで、眼鏡フレームのテンプルやエンドピースなどに装飾を施す方法としては、従来、メッキ加工による色彩装飾や、彫刻、コイニング加工による立体装飾などが一般的であり、宝石などの装飾部材を眼鏡の一部に配置したものが開示されている（例えば、特許文献１参照）。
【０００４】
ところが、従来の装飾方法にあっては、眼鏡部材に刻設した凹部などに装飾片を埋め込むに過ぎず、材料加工に手間がかかってしまうとともに、装飾性としての面白味がなく、アクセントに今一つ物足りなさがあった。
【特許文献１】登録実用新案第３０４８５２０号公報  （第６−７頁、図１０）
【発明の開示】
【発明が解決しようとする課題】
【０００５】
本発明は、従来の眼鏡における装飾方法に上記のような問題があったことに鑑みて為されたものであり、その目的とするところは、簡素な構造でありながらも、斬新な装飾表現を実現することができる眼鏡テンプルの装飾構造を提供することにある。
【課題を解決するための手段】
【０００６】
本発明者が上記課題を解決するために採用した手段を添付図面を参照して説明すれば次のとおりである。
【０００７】
即ち、本発明は、眼鏡フロントＦの左右両側に折り畳み自在に連結されるテンプル１における装飾構造であって、
このテンプル１の少なくとも一部には、上下の枠縁部11ａ・11ｂに挟まれて成る開口部11を備える一方、これら枠縁部11ａ・11ｂの上下に亙り設けられた架橋部材12には、宝飾片２を止着可能な止着部材３を配設し、
宝飾片２の周縁外郭が前記開口部11内側に収容され、かつ、テンプル外側面に対して架橋部材12を隠した状態で、当該宝飾片２を前記止着部材３に支持固定するという技術的手段を採用することによって、眼鏡テンプルの装飾構造を完成させた。
【０００８】
また、本発明は、上記課題を解決するために、必要に応じて上記手段に加え、テンプル１の開口部11を、エンドピース側およびモダン側からそれぞれ延出された各線材の先端部を上下に対向せしめて枠縁部11ａ・11ｂを構成し、かつ、これら両部材を架橋部材12で連結して構成するという技術的手段を採用した。
【０００９】
更にまた、本発明は、上記課題を解決するために、必要に応じて上記手段に加え、テンプル１の開口部11を、二股分岐せる線材により構成される枠縁部11ａ・11ｂに挟んで構成するという技術的手段を採用した。
【００１０】
更にまた、本発明は、上記課題を解決するために、必要に応じて上記手段に加え、止着部材３を、複数の掛止爪31・31…を有する爪付き台座にして、この掛止爪31により宝飾片２を掴持するという技術的手段を採用した。
【００１１】
更にまた、本発明は、上記課題を解決するために、必要に応じて上記手段に加え、テンプル１の架橋部材12に装飾を施すという技術的手段を採用した。
【発明の効果】
【００１２】
本発明は、テンプルの少なくとも一部に、上下の枠縁部に挟まれて成る開口部を備える一方、これら枠縁部の上下に亙り設けられた架橋部材には、宝飾片を止着可能な止着部材を配設し、宝飾片の周縁外郭が前記開口部内側に収容され、かつ、テンプル外側面に対して架橋部材を隠した状態で、当該宝飾片を前記止着部材に支持固定することによって、恰も宝石などの宝飾片が空中に浮遊しているかの如き外観を得ることができる。
【００１３】
したがって、本発明の装飾構造によれば、嘗て無い斬新な装飾表現を実現することが可能になることから、眼鏡装飾における実用的利用価値は頗る高いものがある。
【発明を実施するための最良の形態】
【００１４】
本発明を実施するための最良の形態を具体的に図示した図面に基づいて更に詳細に説明すると、次のとおりである。
【００１５】
本発明の実施形態を図１から図５に基づいて説明する。図中、符号１で指示するものはテンプルであり、このテンプル１は、眼鏡フロントＦの左右両側に折畳みヒンジＳを介して折り畳み自在に連結される部材である。また、符号２で指示するものは宝飾片であり、この宝飾片２は、宝石類や貴金属などを所要形状にカットしたものである。
【００１６】
更にまた、符号３で指示するものは止着部材であり、この止着部材３は、前記宝飾片２を止着するための部材である。
【００１７】
しかして、本発明は、前記テンプル１における装飾構造であって、まず、このテンプル１の少なくとも一部には、上下の枠縁部11ａ・11ｂに挟まれて成る開口部11を備える。本実施形態では、この開口部11は、エンドピース側およびモダン側からそれぞれ延出された各線材の先端部を上下に対向せしめて、かつ、これら両部材を架橋部材12で連結して構成する。
【００１８】
次いで、これら枠縁部11ａ・11ｂの上下に亙り設けられた架橋部材12に、宝飾片２を止着可能な止着部材３を配設する。本実施形態では、この止着部材３を、複数の掛止爪31・31…を有する爪付き台座にして、これらの掛止爪31により宝飾片２を掴持することができる。
【００１９】
そして、この際、宝飾片２の周縁外郭が前記開口部11内側に収容されるようにして、かつ、テンプル外側面に対して架橋部材12を隠した状態で、当該宝飾片２を前記止着部材３に支持固定する。このように構成することにより、恰も宝飾片２が空中に浮遊しているかの如き外観を得ることができ、斬新な装飾表現を実現することができるのである。
【００２０】
なお、本実施形態では、図５に示すように、テンプル１の開口部11を、二股分岐せる線材により構成した枠縁部11ａ・11ｂに挟むように構成することも可能である。
【００２１】
また、本実施形態では、テンプル１の架橋部材12に装飾を施すことができ、例えば、図６（ａ）に示すように、架橋部材12自体の形状を異形にしたり、あるいは、図６（ｂ）に示すように、架橋部材12に彫刻を施したりすることもできる。
【００２２】
本発明は、概ね上記のように構成されるが、図示の実施形態に限定されるものでは決してなく、「特許請求の範囲」の記載内において種々の変更が可能であって、例えば、止着部材３は、爪付きの台座部材に限らず、宝飾片２の裏側を接着や嵌着によって止着することもでき、本発明の技術的範囲に属する。
【図面の簡単な説明】
【００２３】
【図１】本発明の実施形態の眼鏡を表わす全体斜視図である。
【図２】本発明の実施形態の装飾構造を表わす側面図である。
【図３】本発明の実施形態の装飾構造を表わす側面図である。
【図４】本発明の実施形態の装飾構造を表わす側面図である。
【図５】本発明の実施形態の装飾構造の変形例を表わす側面図である。
【図６（ａ）】本発明の実施形態の架橋部材の変形例を表わす側面図である。
【図６（ｂ）】本発明の実施形態の架橋部材の変形例を表わす側面図である。
【符号の説明】
【００２４】
１    テンプル
11    開口部
11ａ・11ｂ  枠縁部
12    架橋部材
２    宝飾片
３    止着部材
31    掛止爪
Ｆ    眼鏡フロント
Ｓ    折畳ヒンジ
【図１】
2008139425.tif 000003
【図２】
2008139425.tif 000004
【図３】
2008139425.tif 000005
【図４】
2008139425.tif 000006
【図５】
2008139425.tif 000007
【図６（ａ）】
2008139425.tif 000008
【図６（ｂ）】
2008139425.tif 000009